(57)【特許請求の範囲】
【請求項１】
住宅の床下地盤に施工される土間コンクリート層に設けられる排水管装置であって、
前記土間コンクリート層を貫通し、下端が前記床下地盤内に上端が土間コンクリート層の表面位置に配置される筒状の本体筒部と、
前記本体筒部の上端を塞いで着脱自在に取り付けられる蓋部と、
前記本体筒部の外周から外方に拡がり、前記土間コンクリート層と前記床下地盤との間に挟み込まれる防蟻スカート部と
を備える排水管装置。
【請求項２】
前記防蟻スカート部が、柔軟性を有し防蟻剤を含有するシートからなり、シートに貫通された嵌挿孔が、前記本体筒部に対して軸方向に移動可能に嵌め込まれている
請求項１に記載の配水管装置。
【請求項３】
前記本体筒部および前記蓋部の外周を囲んで着脱自在に嵌挿され、前記蓋部の上方に配置され、上端面が塞がれた保護筒をさらに備える
請求項１または２に記載の配水管装置。
【請求項４】
住宅の床下地盤に施工される土間コンクリートにおける排水管の施工方法であって、
請求項１〜３の何れかに記載の排水管装置を、前記本体筒部の上部を露出させて前記床下地盤に埋め込み、前記防蟻スカート部を床下地盤に沿って拡げて敷く工程(a) と、
前記排水管装置の防蟻スカート部を含めて床下地盤の上に土間コンクリート層を打設する工程(b) と
を含む排水管施工方法。
【請求項５】
前記工程(a)と工程(b)との間で、前記床下地盤のうち、前記排水管装置の本体筒部の位置を除いて、全面に底面防蟻シートを敷き、底面防蟻シートの一部を前記防蟻スカート部と重ねる工程(a-b)をさらに含む
請求項４に記載の排水管施工方法。
【請求項６】
前記工程(a)が、前記請求項３に記載の排水管装置を用い、
前記工程(b)の後で、前記保護筒のうち少なくとも前記本体筒部の上端よりも上方の部分を除去する工程(c)をさらに含む
請求項４または５に記載の排水管施工方法。
【請求項７】
床下地盤に土間コンクリート層が施工される住宅の床下排水構造であって、
前記床下地盤に埋め込まれ、前記本体筒部の上部が床下地盤および底面防蟻シートの上方に突出し、前記防蟻スカート部が床下地盤に敷かれた請求項１〜３の何れかに記載の排水管装置と、
前記排水管装置の本体筒部を除いて、前記床下地盤の全面を覆い、前記防蟻スカート部と重ねられる底面防蟻シートと、
前記底面防蟻シートおよび排水管装置の防蟻スカート部の上方で、前記排水管装置の本体筒部の上端位置まで打設される土間コンクリート層と、
を備える排水構造。
【発明の詳細な説明】
【０００１】
【発明の属する技術分野】
本発明は、土間コンクリートの排水管装置、施工方法および排水構造に関し、住宅の床下空間に土間コンクリート層を施工するときに、土間コンクリート層の上に溜まる雨水などを排水するための排水管装置と、この排水管装置を用いて排水管を施工する方法と、このような排水管装置および施工方法で構築される排水構造とを対象にしている。
【０００２】
【従来の技術】
土間コンクリート構造は、住宅の床下空間を地盤に対して隔離できるので、湿気や白蟻が、地盤から床下空間を経て住宅の上部構造へと侵入することが効果的に阻止できるとされている。
しかし、床下空間が土間コンクリート層および布基礎で囲まれていると、土間コンクリート層の施工後に住宅の上部構造を施工している間に雨が降ったり、住宅の施工後に水害などがあったりして床下空間に浸入した水が、何時までも排出されずに溜まってしまうという問題がある。
【０００３】
そこで、土間コンクリート層を貫通する排水管を設置することが提案されている。排水管の上端に蓋を取り付けて、排水管の内部から白蟻などが侵入するのを防ぐことも提案されている。排水時には、蓋を外せばよい。
特開２００１−２２６９８３号公報には、排水管装置を取り付けたあとで、土間コンクリート層の打設を容易にするための技術が提案されている。具体的には、排水管装置の上部に保護筒を被せておいて、打設されたコンクリート液で、蓋と本体筒部とが固着してしまわないようにしたり、保護筒の外面にコンクリートの打設位置を示す指示部を設けたりしている。
【０００４】
【発明が解決しようとする課題】
蓋付きの排水管装置は、本体筒部の内部を通って白蟻が侵入するのを阻止するには有効であるが、本体筒部の外面側から白蟻が侵入することがある。
土間コンクリートは、排水管装置の外面に密着するように打設されるのであるが、完全に接合されているわけではない。施工後に土間コンクリートが硬化収縮を起こすと、排水管装置の外面との間にわずかな隙間が生じることがある。昼夜あるいは季節による温度差で、土間コンクリートと排水管との膨張収縮の違いが繰り返し起こり、両者間の隙間が拡がることもある。地震等の外力が加わって、同様の隙間が生じたり拡がったりする可能性もある。土間コンクリートが劣化して隙間が生じることもある。
【０００５】
土間コンクリートと排水管装置との間にわずかでも隙間が生じると、白蟻が侵入し易くなる。
土間コンクリートの防蟻方法として、床下地盤に防蟻剤が配合された樹脂シートなどからなる底面防蟻シートを敷き詰めることが行なわれている。ところが、排水管装置を床下地盤に埋めこむには、底面防蟻シートに貫通孔や切れ目を設ける必要があるため、この貫通孔や切れ目から排水管装置の外周を経て、白蟻が侵入してくる心配がある。
前記特開２００１−２２６９８３号公報には、排水管装置の本体筒部の外面に防蟻シートの帯を巻き付けておいて、白蟻が登れないようにする技術も提案されているが、白蟻が土間コンクリート側を登っていく心配が残る。
【０００６】
本発明の課題は、前記した土間コンクリートの技術において、排水管装置を取り付けたことによる防蟻機能の低下を防ぎ、排水機能と防蟻機能との何れにも優れ、施工も容易な排水管装置を提供することである。
【０００７】
【課題を解決するための手段】
本発明にかかる土間コンクリートの排水管装置は、住宅の床下地盤に施工される土間コンクリート層に設けられる排水管装置であって、前記土間コンクリート層を貫通し、下端が前記床下地盤内に上端が土間コンクリート層の表面位置に配置される筒状の本体筒部と、前記本体筒部の上端を塞いで着脱自在に取り付けられる蓋部と、前記本体筒部の外周から外方に拡がり、前記土間コンクリート層と前記床下地盤との間に挟み込まれる防蟻スカート部とを備える。
〔土間コンクリート層〕
土間コンクリート層は、住宅の床下空間に露出する地盤の表面に施工される。
【０００８】
住宅としては、一般の個人住宅あるいは集合住宅などの通常の住宅に適用できる。住宅の床下空間は、住宅の基礎構造である布基礎で周囲を囲まれた空間であり、布基礎の内側に露出する床下地盤の全体を所定の厚みを有する土間コンクリート層で覆う。
土間コンクリート層は、床下地盤の表面にコンクリートを層状に打設して構築される。必要に応じて、鉄筋を配筋した上にコンクリートが打設される。土間コンクリート層を打設する床下地盤には、栗石などを堆積させて水はけを良好にしておくことができる。防蟻処理を施しておくこともできる。
【０００９】
土間コンクリート層の厚みとしては、住宅の構造によっても異なるが、通常は５０〜２００mm程度に設定される。
布基礎で囲まれた区画毎に、土間コンクリート層の表面から土間コンクリート層の下方の地盤へと排水する排水管装置が設けられる。１区画の床下空間には通常は１個の排水管装置を設けておけばよいが、床下空間の広さや構造によっては、複数個所に排水管装置を設けることもできる。また、複数の区間のうち、一部の区画だけに排水管装置を設け、残りの区画と排水管装置を設置した区画との間に、布基礎を貫通して排水を流す排水路を設けておけば、排水管装置の設置個数を削減することができる。
【００１０】
土間コンクリート層の表面は、全体が水平であってもよいし、排水管装置の設置個所に向かう下り勾配や排水管装置の設置個所が低くなる段差などが設けられていてもよい。
〔本体筒部〕
土間コンクリート層の表面に溜まった水を地盤まで通過させて排水する排水管装置の主要な構造である。
本体筒部は、全体が筒状をなしている。円筒、楕円筒、多角形筒などが採用できる。全長が同じ断面形状あるいは径であってもよいし、場所によって断面形状が変化したり、径が細くなったり太くなったりしているものでもよい。本体筒部の内径は５０〜１５０mm程度に設定される。本体筒部の上下端は開口している。
【００１１】
本体筒部を構成する材料としては、塩化ビニル、ポリプロピレンなどの合成樹脂、繊維強化樹脂、金属、無機硬化材料などが用いられる。白蟻に食害されない材料が好ましい。
本体筒部は、土間コンクリート層を貫通し、下端が床下地盤内に上端が土間コンクリート層の表面位置に配置される長さを有している。
本体筒部のうち、床下地盤内に埋め込まれる部分の長さは、後述する通水部の位置や幅、床下地盤の通水性などの条件によって決められるが、通常は、５０〜２００mm程度に設定される。
【００１２】
本体筒部の上端は、土間コンクリート層の表面と一致していれば排水の流入が確実に行える。本体筒部の上端が土間コンクリート層の表面よりも低い位置にあっても排水の流入には支障がない。本体筒部の上端が土間コンクリート層の表面よりも高い位置にあると、本体筒部の上端と土間コンクリート層の表面との段差分だけ排水が残ることになるが、残る排水の量が実用的に問題がない程度であれば構わない。通常は、本体筒部の上端が土間コンクリート層の表面よりも低い場合は３０mm程度以内、高い場合は５mm程度以内に収めておく。土間コンクリート層の表面から突出した部分の本体筒部に排水用の切り欠きや孔を設けておくこともできる。
【００１３】
〔防蟻帯〕
本体筒部の外周に、防蟻シートや防蟻テープを巻きつけたり、ペースト状のコーキング材やシーリング材に防蟻成分を配合したものを塗工したりして、防蟻帯を設けておくことができる。幅５〜２０cm程度の防蟻帯があれば、白蟻が超えることは困難である。防蟻帯を本体筒部の内面に設けておけば、本体筒部の内面からの白蟻の侵入防止に有効である。
〔通水部〕
本体筒部を通過する排水は、本体筒部の下端の開口から地盤に排水されるが、地盤への排水をより効率的に行うために、本体筒部のうち、施工状態で土間コンクリート層よりも下方になる側面に、水が通過自在な通水部を有することができる。
【００１４】
通水部は、水の通過が良好に行えるとともに、地盤から本体筒部へ砂礫などが流入し難い形状構造を有するものが好ましい。
通水部の具体的形状として、スリット状の切り込みを本体筒部の周方向に設けることができる。本体筒部の下端から垂直方向に延びる切り込みを設けることもできる。円形その他の断面形状を有する貫通孔を格子状あるいは千鳥状に配列しておくことができる。
〔蓋部〕
本体筒部の上端に存在する開口を塞ぐことができる構造を有していれば、各種の蓋構造を採用することができる。
【００１５】
蓋部には、着脱操作の際に把持する把手部を設けておくことができる。
蓋部の材料は、本体筒部と同様の合成樹脂などが使用される。
蓋部を本体筒部と着脱自在に取り付ける構造としては、単なる嵌合、凹凸形状による係合、雌雄一対のねじ部によるねじ込み構造などが採用できる。より具体的には、本体筒部の上端内周に雌ねじ部を有し、蓋部の外周に雄ねじ部を有しておくことができる。
蓋部は本体筒部に対して隙間なく取り付けられるものが好ましい。但し、白蟻が侵入のできない程度に狭い隙間であればわずかな隙間があいていても構わない。水密性の高い蓋部を用いると、地盤から浸出してくる地下水が土間コンクリート層の上に溢れるのを阻止することができる。
【００１６】
蓋部と本体筒部との当接面にＯリングなどの密閉手段を設けておけば、蓋部の密閉性を向上させることができる。
〔防蟻スカート部〕
排水管装置の本体筒部の外側に配置されて、本体筒部と土間コンクリート層との間を白蟻が侵入してくるのを阻止する。
防蟻スカート部の材料は、白蟻が食い破ることが困難であったり、白蟻が接近あるいは接触を嫌ったりする防蟻機能を有する材料であればよい。通常の防蟻シートと同様の材料が使用できる。合成樹脂や金属、セラミックなどが挙げられる。ステンレスメッシュなどの金属網も使用できる。これらの材料に防蟻剤を配合したり、塗付したりしたものも使用できる。板材などの剛性材料も使用できるが、床下地盤および土間コンクリート層と密着し易いように、柔軟性に優れた材料が好ましい。本体筒部に対して嵌め込んで取り付ける場合、弾力的な変形性に優れた材料が好ましい。床下地盤や土間コンクリート層との密着性や接合性の良い材料が好ましい。
【００１７】
防蟻スカート部をシート材料で構成する場合、シート厚みを０．０５〜２mmに設定しておくことができる。
防蟻スカート部は、本体筒部の外周から外方に拡がる。防蟻スカート部の外周形状は、土間コンクリート層と床下地盤との間に十分な幅で挟み込まれて白蟻の侵入が阻止されればよい。例えば、正方形や長方形その他の多角形、円形や長円形などの曲線図形が採用できる。本体筒部から外周縁までの幅を、３〜３０cmの範囲に設定しておくことができる。
防蟻スカート部の本体筒部に対する取付構造は、接着や嵌合、係合、釘打ち、ネジ止め、金具による締め付けなど、通常の構造部材における締結構造が採用できる。
【００１８】
防蟻スカート部を本体筒部に対して軸方向に移動自在に取り付けておけば、施工時に、床下地盤の表面位置に合わせて防蟻スカート部を配置し易い。例えば、柔軟なシート材料の中央に本体筒部の外径よりも少し小径の嵌挿孔を設けておき、嵌挿孔を弾力的に変形させて本体筒部に嵌め込むようにして取り付ければ、本体筒部に対して防蟻スカート部の位置を軸方向に移動できる。
排水管装置を設置した状態で、防蟻スカート部と本体筒部との当接個所に防蟻剤を塗工しておけば、防蟻機能が向上する。
〔保護筒〕
土間コンクリート層の打設施工などの際に、本体筒部の上部および蓋部を保護しておく。排水管装置の施工後は、全体あるいは不要部分が除去される。
【００１９】
保護筒は、本体筒部の外形に対応する筒形状をなす。円筒状のほか多角筒状などでもよい。
保護筒の材料は、前記した保護機能が果たせる程度の形状維持性があれば、紙、合成樹脂その他の材料が使用できる。紙材は、切除作業や廃棄処理が行い易く好ましい。市販の紙管は、強度的にも十分な機能を有する。
保護筒は、本体筒部および蓋部の外周形状に沿って嵌挿するだけで取り付けることができる。保護筒の内周面に蓋部の上端に当接する係止突起を有していれば、蓋部に対する保護筒の取付位置が正確に位置決めされる。係止突起は、内周面の全周にわたる環状のものでもよいし、周方向に部分的あるいは断続的に配置されたものでもよい。
【００２０】
保護筒の外面に、土間コンクリート層の打設許容範囲を示す指示部を設けておくことができる。指示部は、前記許容範囲の上下限位置、基準位置、目盛などを、模様部、着色部、指示線、文字や記号など、視覚的に認識される態様で、印刷やエンボス加工などの手段で表すことができる。指示部は複数個所に設けることもできる。
〔底面防蟻シート〕
土間コンクリート層と床下地盤との間に施工する防蟻処理として、底面防蟻シートが適用できる。
【００２１】
底面防蟻シートとしては、通常の床下防蟻施工あるいは土間コンクリートにおける防蟻施工に使用されている防蟻シートの材料が使用できる。前記した防蟻スカート部の材料と同じ材料が使用できる。
底面防蟻シートは、通常、帯状の巻回シートの形態で提供されるので、床下地盤に順次並べて敷き詰められる。帯状の底面防蟻シートが隣接する個所では、互いに一部が重なるように敷くことが好ましい。
底面防蟻シートは、排水管装置の設置個所を除いて敷設される。底面防蟻シートのうち排水管装置に対応する個所に、切り込みや貫通孔を設けておけばよい。
【００２２】
〔排水管の施工方法〕
排水管装置は、本体筒部に蓋部を取り付け、その外周に保護筒を嵌挿させた状態で用いる。
床下地盤は、土間コンクリート層を打設施工するまでに必要な施工を完了しておく。例えば、地盤の均し作業や地盤に栗石を敷き詰める作業などである。地盤の表面に防蟻処理を施しておくこともできる。
排水管装置の下部を床下地盤に埋め込む。床下地盤に穴を掘って、この穴に排水管装置を差し込み、排水管装置の周囲で穴に土や砂利を埋め戻すことができる。排水管装置を地盤に押し込んで埋めることもできる。
【００２３】
排水管装置のうち、床下地盤に埋め込む範囲は、少なくとも本体筒部の下端が完全に地盤に埋め込まれるようにする。本体筒部の下部側面に通水部を有する場合は、通水部も完全に地盤に埋め込まれるようにする。また、本体筒部の上端位置が、予定されている土間コンクリート層の表面位置に配置されるように設定しておく。土間コンクリート層の打設時にコンクリートの圧力で排水管装置が倒れたり傾いたりしない程度に排水管装置を自立させておくのが好ましい。必要であれば、排水管装置を固定する支え部材を設置することもできる。
地盤に排水管装置が設置されたあとで、地盤に底面防蟻シートを施工しておくことができる。底面防蟻シートは、通常、帯状の巻回シートで供給されるので、巻き解きながら地盤に並べて敷く。並べた底面防蟻シート同士は少し重なりを設けておく。底面防蟻シートのうち、排水管装置の配置個所には挿通孔や切れ目を設けておくことが望ましい。排水管装置を設置する前に底面防蟻シートを敷いておくこともできる。
【００２４】
底面防蟻シートと排水管装置の防蟻スカート部とは、少なくとも一部が重ねられる。重なりが大きいほど、白蟻の侵入阻止に有効である。通常は、５〜２０mm程度の重なりを設ける。この重なり部分では、底面防蟻シートと防蟻スカート部との何れが上になってもよいが、通常は、後で施工するほうを上に重ねるのが作業し易い。一般的は、排水管装置および防蟻スカート部を設置したあと、その周囲に底面防蟻シートを施工して、防蟻スカート部の上に底面防蟻シートを重ねる。
防蟻スカート部と底面防蟻シートとの重ね合わせ部分を、接着剤などで接合しておくことができる。重ね合わせ部分に防蟻剤を塗工しておくこともできる。
【００２５】
次に、土間コンクリート層の打設を行う。具体的な作業手順や処理方法は、通常の住宅における土間コンクリート層の打設工程と同様に行われる。コンクリートを打設する前に、均しモルタルを施工しておくこともできる。底面防蟻シートは、地盤の表面ではなく均しモルタルの上に敷いてもよい。
コンクリートの打設は、注入されたコンクリート液の表面が、排水管装置の本体筒部の上端位置に配置されるようにする。前記指示部があれば、それを目印にしてコンクリート注入が行なえる。
注入されたコンクリートが硬化すれば、土間コンクリート層が形成される。
【００２６】
土間コンクリート層に排水を促進させるための勾配を形成しておくことができる。この場合、排水管装置のところが最も低くなり、そこから離れるにしたがって高くなるような勾配を設けておくのが好ましい。土間コンクリート層の表面に、排水管装置の周囲が低くなる段差を設けておくこともできる。何れの場合も、排水管装置の周辺における土間コンクリート層の表面位置が、本体筒部の上端位置にくるようにしておく。
保護筒が取り付けられていた場合は、土間コンクリート層が打設された後で、本体筒部の上端よりも上方部分の保護筒を除去する。これによって、本体筒部の上端および蓋部が露出し、排水機能を発揮できるようになる。保護筒は、本体筒部の上端よりも上方の部分だけを、切断などの手段で除去してもよいし、保護筒の全体を除去してもよい。土間コンクリート層が完全に硬化する前に、保護筒を抜き取ってもよい。
【００２７】
【発明の実施形態】
〔床下構造〕
図１は、通常の個人住宅などにおける床下構造を示している。
地盤Ｅに、鉄筋コンクリートからなり枠壁状の布基礎１０が施工される。布基礎１０の一部は地盤Ｅに埋め込まれており、布基礎１０の上端に土台１２や根太材１６を介して、床面１８、壁面１４などの上部構造が施工される。
布基礎１０は地盤Ｅを格子状に区切り、床面１８で覆われた床下空間Ｕが構成される。この床下空間Ｕの地盤Ｅ上に、底面防蟻シート７４を介して、土間コンクリート層７０が配置される。土間コンクリート層７０は、布基礎１０と同様の鉄筋コンクリートで構築される。床下空間Ｕと地盤Ｅとは、土間コンクリート層７０および底面防蟻シート７４で隔離される。底面防蟻シート７４は、防蟻剤が配合された合成樹脂シートからなり、地盤Ｅからの白蟻の侵入を阻止する。
【００２８】
土間コンクリート層７０に排水管装置２０が取り付けられる。
図１では、床下空間Ｕのうち、布基礎１０で囲まれた一つの区画に排水管装置２０が設置されるとともに、隣接する区画との仕切りになる布基礎１０には、土間コンクリート層７０の表面位置に排水路１９を設けている。その結果、隣接する区画の水を、排水路１９を経て、排水管装置７０を設置した区画へと送り込んで排水することができる。
排水路１９は、布基礎１０を打設施工する際に、例えば、合成樹脂管や紙管を半分に切った半円弧状の排水路部材７２を設置してからコンクリートを打設することで、排水路部材７２で囲まれた半円筒状の排水路１９を簡単に構築することができる。排水路部材７２として、雨樋用の材料を利用することができる。
【００２９】
〔排水管装置〕
排水管装置２０は、全体が筒状をなす本体筒部３０と、本体筒部３０の上端開口を塞ぐ蓋部４０と、本体筒部３０の外周に拡がる防蟻スカート部５０とを有している。
＜本体筒部＞
図２は、排水管装置２０の詳細な構造を示している。本体筒部３０は、市販の塩化ビニル樹脂製パイプからなる直管部３２と、直管部３２の上端に接合され、直管部３２と同じ塩化ビニル樹脂の成形品からなる取付筒部３１とを有する。直管部３２の具体例として、市販のＶＵ管が使用できる。
【００３０】
取付筒部３１は、内周面の上部に雌ねじ部３３を有する。取付筒部３１の上端外周には外側に張り出したフランジ３５を有する。取付筒部３１の外径は直管部３２の外径よりも少し大きい。
取付筒部３１と直管部３２とは接着剤などで接合されているとともに、接合部分の外周に防蟻帯３４が巻き付けられて貼り付けられている。防蟻帯３４は、通常の粘着性を有する防蟻テープが使用される。防蟻帯３４の幅は、例えば１００mm程度のものが用いられる。
防蟻帯３４の上方で取付筒部３１の外周には、柔軟な合成樹脂発泡体などからなる間隔保持環３６が設けられている。間隔保持環３６は、後述する保護筒６０が嵌挿されたときに、保護筒６０と取付筒部３１との間の間隔を保持し、土間コンクリート層１８を打設したときの圧力などで保護筒６０が変形したり移動したりするのを防ぐことができる。コンクリートが間隔保持環３６の上方に入り込むのを阻止する機能もある。
【００３１】
＜蓋部＞
蓋部４０は、取付筒部３１と同様の塩ビ成形品からなり、下部の外周に雄ねじ部４２を有する。雄ねじ部４２の上方には外側に張り出したフランジ４４を有する。雄ねじ部４２の上部根元にはＯリング４８が嵌め込まれている。蓋部４０の上面中央には上方に突出する把手部４６を有する。この把手部４６を持って回すことで、蓋部４０の取付筒部３１に対するねじ込み操作が行い易くなる。
蓋部４０の雄ねじ部４２を取付筒部３１の雌ねじ部３３にねじ込むことで、蓋部４０が取付筒部３１に取り付けられ、取付筒部３１の上端開口が塞がれる。ねじ込み構造を有していることで、蓋部４０が取付筒部３１に対して隙間無く密着して取り付けられる。また、振動などが加わっても蓋部４０が自然に外れてしまうことが少ない。蓋部４０と取付筒部３１との間にＯリング４８を挟み込むことで、水密性良好に閉じられる。Ｏリング４８の弾力的な変形に伴う反発力で、蓋部４０の雄ねじ部４２と取付筒部３１の雌ねじ部３３との緩みを防止する機能も発揮できる。
【００３２】
土間コンクリート層７０に排水管装置２０が取り付けられた状態で、本体筒部３０の取付筒部３１の上端が、土間コンクリート層７０の表面とほぼ同じ高さ位置に配置される。これによって、土間コンクリート層１８の表面に溜まった水が、確実に排水管装置２０に流れ込んで排水される。但し、取付筒部５０の上端が土間コンクリート層７０の表面よりもわずかに高い程度であっても実用的には問題はない。また、土間コンクリート層７０の表面に、排水管装置２０の取付位置では低く排水管装置２０から離れるほど高くなるような傾斜を付けておけば、排水の流れがスムーズになる。
【００３３】
＜防蟻スカート部＞
防蟻スカート部５０は、前記した底面防蟻シート７４と同様の平坦な防蟻シート材料からなり、柔軟に変形可能である。図３にも示すように、全体が正方形状をなす防蟻シート材料の中心に円形の嵌挿孔５２が貫通形成されている。防蟻スカート部５０の挿通孔５２を、弾力的に変形させながら本体筒部３０に嵌め込み、直管部３２の途中に取り付けている。図２に示すように、直管部３２で押し広げられた防蟻スカート部５０の嵌挿孔５２周辺は、直管部３２に沿って筒状に変形することで直管部３２との接触面積が確保され、強力に密着する。
【００３４】
防蟻スカート部５０の具体例として、ＥＶＡ（エチレンビニルアセテート）樹脂にピレスロイド系防蟻剤が配合された材料からなり、３００×３００mmの正方形で、厚み０．２mmの防蟻シートが使用される。外径５６mmの直管部３２に対して、嵌挿孔５２の内径５０mmに設定される。
防蟻スカート部５０は、地盤Ｅの表面に沿って平坦に広げられ、その上には、底面防蟻シート７４が重ねられている。図３に示すように、底面防蟻シート７４のうち、排水管装置２０が配置される個所には挿通穴７５があいているが、防蟻スカート部５０との重ね合わせ部分は十分に確保されている。
【００３５】
〔施工前の排水管装置〕
図４は、土間コンクリート層７０が施工される前の排水管装置２０を示している。
取付筒部３１を含む本体筒部３０、蓋部４０および防蟻スカート部５０の構造は前項で説明したとおりである。
本体筒部３０のうち直管部３２は、下端が開口している。また、下端面から軸方向に延びる切り込みからなる通水部３８が、周方向に等間隔で複数個所に設けられている。この通水部３８は、施工時に土間コンクリート層７０よりも下方で地盤Ｅに埋設される部分に設けられる。通水部３８の幅および長さは、排水が容易に通過できるとともに地盤Ｅの土砂などが直管部３２の内部に侵入し難いように設定される。
【００３６】
蓋部４０がねじ込み取付された取付筒部３１の外周に、紙管からなる保護筒６０が嵌挿されている。保護筒６０の具体的寸法として、外径７０mm、内径６９mmで長さ１００mmのものが用いられる。保護筒６０の上端面は、紙材料などからなるシート蓋６２で塞がれている。保護筒６０の内周には円弧帯状をなす係止突起６４が設けられている。保護筒６０を、蓋部４０および取付筒部３１の上方に嵌め込んだときに、蓋部４０の上部に保護筒６０の係止突起６４が当接することで、保護筒６０が正確に位置決めされる。
防蟻スカート部５０は、直管部３２の途中に嵌め込まれているだけなので、防蟻スカート部５０の嵌挿孔５２周辺を弾力的に変形させながら、直管部３２に沿って防蟻スカート部５０をずらせば、直管部３２に対する取付位置を軸方向に変更することができる。
【００３７】
〔排水管の施工〕
図３に示す構造の排水管装置２０を用いて、土間コンクリート層７０への排水管施工を行う。
図１において、土間コンクリート層７０の施工を行う前に、床下空間Ｕの地盤Ｅに排水管装置２０を配置する。図１では保護筒６０が表示されていないが、保護筒６０を取り付けた状態の排水管装置２０が設置される。排水管装置２０は、地盤Ｅに対して垂直な姿勢で埋め込む。直管部３２の下部の通水部３８が地盤Ｅに完全に埋め込まれるようにする。直管部３２のうち防蟻帯３４よりも上方の部分は、地盤Ｅの上方に露出させておく。
【００３８】
防蟻スカート部５０を地盤Ｅの表面に沿って敷く。防蟻スカート部５０の位置を直管部３２の軸方向に沿って調整すれば、地盤Ｅの表面に合わせて防蟻スカート部５０を敷くことができる。
次に、地盤Ｅの上に底面防蟻シート７４を敷き詰める。排水管装置２０の個所に敷かれる底面防蟻シート７４には、挿通孔７５を設けておく。排水管装置２０の周囲では、地盤Ｅの表面に敷かれた防蟻スカート部５０の上に底面防蟻シート７４の一部が重ねられることになる。
この状態で、地盤Ｅの上方に必要に応じて鉄筋を配置したりしたあと、コンクリートを流し込み、土間コンクリート層７０の打設を行う。
【００３９】
図３に示すように、土間コンクリート層７０の表面位置Ｌが、本体筒部３０の上端位置とほぼ同じ位置になるように、コンクリートを打設する。このとき、保護筒６０の上端はシート蓋６２で塞がれているので、保護筒６０の内部に誤ってコンクリート液が侵入することが防げる。
保護筒６０の外面にコンクリートの打設位置を示す印を設けておくと、コンクリートの打設作業が行ない易くなる。
予め、地盤Ｅに対する排水管装置２０の埋め込み深さや直管部３２の長さと、土間コンクリート層７０の厚みとを適切に設定しておくと、所定の厚みでコンクリートを打設するだけで、表面位置Ｌを本体筒部３０の上端位置に合わせることもできる。例えば、土間コンクリート層７０の厚みを２００mmに設定し、排水管装置２０の本体筒部３０の全長を３２７mmに設定しておくことができる。この場合、本体筒部３０の下部の約１００mmが床下地盤Ｅに埋め込まれる。
【００４０】
保護筒６０が取り付けられた状態の排水管装置２０が、土間コンクリート層７０に埋め込まれた状態になる。土間コンクリート層７０の表面が取付筒部５０の上端面とほぼ同じ位置に配置される。蓋部４０と取付筒部３１の連結部分が保護筒６０で覆われているので、コンクリート液が連結部分に流入して蓋部４０と取付筒部３１とを接合してしまうことが防止される。
土間コンクリート層７０の施工後、保護筒６０を除去する。
土間コンクリート層７０が完全に硬化する前であれば保護筒６０を抜き取ることができる。保護筒６０を抜き取ったあと、隙間にモルタルやコンクリートを追加供給して埋めることもできる。
【００４１】
土間コンクリート層７０が完全に硬化したあと、土間コンクリート層７０の表面よりも上方に突出する部分の保護筒６０を、ナイフなどで切断除去することもできる。紙管からなる保護筒６０は通常のナイフなどでも容易に切断できる。
〔排水管の使用〕
土間コンクリート層７０が施工され、保護筒６０の全体もしくは一部が除去されたあと、床下空間Ｕにおける各種の施工あるいは住宅の上部構造の施工を行っている間は、排水管装置２０の取付筒部３１の上端開口は蓋部４０で塞いだままにしておく。これによって、各種施工時に発生する塵芥物などが排水管装置２０を詰まらせたりする問題が阻止できる。蓋部４０を保護筒６０を取り付けたままにして、蓋部４０などの保護を行ってもよい。
【００４２】
住宅の上部構造が施工される前に、雨などで土間コンクリート層７０の上に水が溜まった場合には、排水管装置２０の蓋部４０を取り外すことで、溜まった水を排水することができる。排水が終われば、蓋部４０を再び取り付けておく。
住宅の施工完了後も、通常は本体筒部３０の上端が蓋部４０で塞がれているので、白蟻の侵入は確実に阻止される。また、大量の雨などで一時的に地盤の地下水位が上がったときに、排水管装置２０に浸入した水が土間コンクリート層７０の上に溢れようとしたときにも、蓋部４０によって水の浸入を阻止することができる。
【００４３】
そして、洪水などの水害時に住宅の床下浸水あるいは床上浸水が起きたり、住宅の配管事故などで床下空間に水が溜まったりしたときには、排水管装置２０から蓋部４０を取り外すことで、土間コンクリート層７０の上に溜まった水を迅速に排水することができる。排水が完了したあとは、再び蓋部４０を取り付けておく。
排水管装置２０の外面と土間コンクリート層７０および地盤Ｅとの間は、防蟻スカート部５０と底面防蟻シート７４とで、白蟻の侵入を確実に遮断できる。土間コンクリート層７０は経時的に収縮したりヒビ割れが生じたりして排水管装置２０との間にわずかな隙間が生じる場合がある。わずかな隙間でも白蟻の侵入経路になる可能性がある。しかし、防蟻スカート部５０が存在していれば、排水管装置２０と土間コンクリート層７０との間から白蟻が侵入することは出来ない。
【００４４】
地盤Ｅと底面防蟻シート７４との隙間から、排水管装置２０の外面と土間コンクリート層７０との間を通って、白蟻が侵入しようとしても、排水管装置２０の外面から外側に拡がる防蟻スカート部５０が、排水管装置２０の外面を伝って白蟻が登ることを阻止する。防蟻スカート部５０の外周側は底面防蟻シート７４と重ね合わされているので、この部分から白蟻が侵入することもできない。
なお、本体筒部３０の外面に防蟻帯３４を貼着しておくことで、排水管装置２０と土間コンクリート層７０との隙間を通って、白蟻が床下空間Ｕに侵入することが、さらに確実に阻止できる。
【００４５】
【発明の効果】
この発明にかかる排水管装置は、本体筒部の外周から外方に拡がる防蟻スカート部を備えていることで、白蟻が、地盤から排水管装置と土間コンクリート層との隙間を通って床下に侵入することを確実に阻止することができる。
特に、土間コンクリート層の硬化変形や、土間コンクリート層と排水管装置との相対的な熱変形の違い、経時的な変形や劣化、損傷などがあっても、確実な防蟻機能を長期間にわたって良好に発揮することができる。
しかも、排水管装置の施工は、本体筒部を地盤に埋め込んだあと、防蟻スカート部を拡げて地盤に敷くだけでよいので、施工に手間がかからず、製造および作業のコストも過大にはならない。
【図面の簡単な説明】
【図１】  本発明の実施形態を表す住宅の床下構造を示す断面図
【図２】  排水管部分の詳細構造を示す拡大断面図
【図３】  排水管部分の平面図
【図４】  保護筒を取り付けた排水管装置の半断面正面図
【符号の説明】
１０    布基礎
２０    排水管装置
３０    本体筒部
３１    取付筒部
３２    直管部
３４    防蟻帯
４０    蓋部
５０    防蟻スカート部
５２    嵌挿孔
６０    保護筒
７０    土間コンクリート層
７４    底面防蟻シート
７５    挿通孔
Ｅ      床下地盤
Ｕ      床下空間
【図１】
0003857914.tif 000002
【図２】
0003857914.tif 000003
【図３】
0003857914.tif 000004
【図４】
0003857914.tif 000005